(57)【特許請求の範囲】
【請求項１】
折板構造屋根用の金属製屋根材を支持固定するタイトフレームにおいて、左右の傾斜部の上端に垂直状の起立部を介して設けた側面円弧状の支持部と、前記支持部の左右両端に連なる下向きに突出した係止片と、前記支持部の４隅部に絞り加工を施した絞り加工部とを備えていることを特徴とするタイトフレーム。
【請求項２】
タイトフレームは、１連または複数連に構成したことを特徴とする請求項１記載のタイトフレーム。
【請求項３】
係止片は、弯曲部と屈曲部とを備えていることを特徴とする請求項１または２記載のタイトフレーム。
【発明の詳細な説明】
【０００１】
【産業上の利用分野】
本発明は、タイトフレームに係り、特にルーフデッキや８８タイプなどと称される山高を比較的低くして、働き幅を広げた構成の小型の折板構造屋根用の金属製屋根材を支持固定するためのタイトフレームとして、強度と現場施工性及び価格性に優れ、かつボルトレス化を図り、さらに折板構造屋根の連結部個所の毛細管現象を防ぐタイトフレームに関するものである。
【０００２】
【従来の技術】
従来、この種折板構造屋根用のタイトフレームには、各種構造を備えるものが開発されている。例えば、支持部に剣先ボルトを植設させたタイトフレームが知られている。このタイトフレームは、周知のように構築物の梁などに取り付け用の脚部を溶接などで固着させて、折板構造屋根の金属製屋根材をタイトフレームを構成する左右の傾斜部に沿わせながら金属製屋根材の支持部に設けたボルト穴を前記剣先ボルトに挿通させてタイトフレームの支持部に金属製屋根材の頂部を当接し、剣先ボルトにパッキン、防水座金などを介在させてナット締めを行っている。
【０００３】
上記する剣先ボルトを有するタイトフレームは、用いる金属製屋根材の頂部に予めボルト穴を開ける作業の他に、パッキンや防水座金、ナットなどが必要なため、部品点数が多くなり、施工能率の面や施工費用が高価になるなどの課題がある。また、このタイトフレームの支持部には、剣先ボルトが植設されているため、思わぬ事故が発生する危険性がある。さらに、ボルト穴を正確に設けないと、雨漏りの原因となったり、構成される屋根面に歪みや撓みが発生し、美観上好ましくない。
【０００４】
上記タイトフレームの課題を改良したものとして、剣先ボルトなどのボルトを設けない、いわゆるボルトレス化を図った嵌合型の折板構造屋根用のタイトフレームが開発されている。例えば、実開昭６０ー１３３０２５号公報には、ロックフレームの山形のリブを嵌合するのに両肩部に設けられた弾性を有する係止片に折板の係止段部を係止するようにした連続山形折板のボルトレス取付構造が開示されている。
【０００５】
【発明が解決しようとする課題】
上記する嵌合型の折板構造屋根用のタイトフレームは、両肩部に設けた係止片に折板の係止段部を係止する構成であり、剣先ボルトを有するタイトフレームに比べ、その施工能率が向上する利点がある。
【０００６】
しかしながら、上記係止片は、傾斜状の両肩部の上端部において、上端部を残して左右と下端部の３辺を切断して傾斜状に設け、かつ弾性を有する構成であれば、この係止片に外力が加わったり、風圧などを受けると係止片が適正な傾斜状形態を維持できず、係止片が折れ曲がったり、肩部側に変位することなどが原因となって折板の係止段部が係止片から離脱し、折板がロッククレームから外れるなどの致命的な欠点がある。
本発明は、このような欠点を解決し、強度と現場施工性及び価格性に優れ、かつボルトレス化を図り、さらに折板構造屋根の連結部個所の毛細管現象を防ぐタイトフレーム及びこれに用いる嵌合型の折板構造屋根を提供するものである。
【０００７】
【課題を解決するための手段】
本発明の第１の発明は、折板構造屋根用の金属製屋根材を支持固定するタイトフレームにおいて、左右の傾斜部の上端に垂直状の起立部を介して設けた側面円弧状の支持部と、前記支持部の左右両端に連なる下向きに突出した係止片と、前記支持部の４隅部に絞り加工を施した絞り加工部とを備えていることを特徴としており、第２の発明は、タイトフレームは、１連または複数連に構成したことを特徴としている。
【０００８】
本発明の第３の発明は、係止片は、弯曲部と屈曲部とを備えていることを特徴としている。
【０００９】
【作用】
本発明のタイトフレームによれば、係止片の基端部が連なる支持部には、隅部の４カ所に絞り加工を施した絞り加工部が形成されているため、支持部と共に、特に係止片の基端部の強度が著しく向上し、係止片は、容易に変位しない十分な強度を保持している。
【００１０】
また、本発明に用いる折板構造屋根によれば、その頂部の係合部、中間係合部及び被係合部は、そのタイトフレームの支持部の係合片と密に当接し合って嵌合部を構成することにより、この支持部と係止片及び頂部の係合部の強度が相乗的に作用し、嵌合部の強度が著しく向上する。また、折板構造屋根を構成する金属製屋根材とタイトフレームとの嵌合部には、隙間が生まれ、毛細管現象を防ぐことができ、特に、隣接し合う金属製屋根材の連結部における係合部と被係合部との嵌合部に隙間が確保でき、毛細管現象が防げる。
【００１１】
【発明の実施の形態】
以下、本発明の実施形態を説明する。図１は、本発明のタイトフレームの一実施形態を示す要部の斜視図、図２は、同要部横断面図、図３は、同要部縦断面図、図４は、同３連構成のタイトフレームを示す断面図、図５は、同タイトフレームに用いる折板構造屋根用の金属製屋根材を示す断面図、図６は、同異なる３連構成のタイトフレームを示す断面図、図７は、同タイトフレームの使用状態を示す断面図、図８は、同タイトフレームを使用した折板構造屋根の勾配を示す側面図である。
【００１２】
図１〜図４に示すタイトフレーム１は、従来と同様に逆Ｖ字状に構成されており、下端の水平な取り付け用の脚部２を介して連接してある。図４では、このタイトフレーム１は、３連に構成されているが、これに限定されるものではなく、例えば１連や２連、或いは３連以上に構成することは任意な事項である。また、本発明のタイトフレーム１は、上述するように、ルーフデッキや８８タイプなどと称される山高を比較的低くして、働き幅を広げた構成の小型の折板構造屋根用のタイトフレームに適したものであるが、大型の折板構造屋根用のタイトフレームに適用できること勿論のことである。
【００１３】
上記タイトフレーム１の左右の傾斜部３，３の上端に垂直状の起立部４，４を介して側面から見て上向きな円弧状の支持部５が形成してある。この支持部５の４隅部に絞り加工を施して絞り加工部６，６，…が形成してあると共に、起立部４，４の上端部から傾斜部３，３の上端部に至って左右及び下端の三辺を切り込んで係止片７を設けてある。この係止片７は、図示するように基端側に弯曲部８と先端側に屈曲部９とが形成され、支持部５から突出して連なる一体構成となっている。図中、１０は、前記係止片９を形成したため設けられた穴であり、１１は、上記する脚部２、傾斜部３及び起立部４に設けた膨隆部であり、これら各部の強度化を図っている。１２は、脚部２に設けた固着用のボルト穴、１３は、支持部５に設けたボルト穴である。
【００１４】
次に、本発明のタイトフレーム１に用いる折板構造屋根用の金属製屋根材の構成を説明する。図５、図６に示す金属製屋根材１５，１６は、上記する３連構成のタイトフレーム１に対応する構成としてあるが、これに限定されるものではなく、任意な連数に構成できる。
図５に示す金属製屋根材１５は、一端側に左右の「く」の字状の屈曲部１７に連なる上向きの緩い円弧部１８からなる係合部１９と、他端側に同様な左右の「く」の字状の屈曲部１７に連なる平らな平面部２０からなる被係合部２１と、中間部に前記係合部１９と同様な構成の中間係合部２２，２２とがそれぞれ設けられ、これら係合部１９、被係合部２１及び係合部２２，２２は、平らな底部２３に連なる傾斜部２４の頂部上端に構成されている。
【００１５】
図６に示す金属製屋根材１６は、上記図５の金属製屋根材１５の被係合部２１の平面部２０に代え、窪んだ凹面部２５とする被係合部２６としてあり、その他は同じ構成としてある。
【００１６】
図７に示すように上記金属製屋根材１５は、梁３０に各脚部２を溶接などで固着したタイトフレーム１の傾斜部３，３，…に金属製屋根材１５の傾斜部２４，２４，…を沿わせて、金属製屋根材１５の屈曲部１７をタイトフレーム１の係止片７に係合させると共に、支持部５に金属製屋根材１５の係合部１９，２２，２２及び被係合部２１をそれぞれ嵌合させてタイトフレーム１に支持固定させる。次に、上記金属製屋根材１５の被係合部２１に、次の隣接させる金属製屋根材１５の係合部１９を嵌合して金属製屋根材１５，１５を連結すると共に、他の係合部２２，２２及び被係合部２１を連接するタイトフレーム１の支持部５にそれぞれ嵌合させて所定の数の金属屋根材１５をタイトフレーム１に支持固定させることにより折板構造屋根３１を構成する。また、金属製屋根材１６も同様にタイトフレーム１に支持固定させて折板構造屋根を構成できる。
【００１７】
上述するように、本発明のタイトフレーム１は、金属製屋根材１５，１６を支持固定する支持部５には、その４隅部に絞り加工部６，６，…を施してあることにより、これに連なって突出している係止片７は、絞り加工の効力が付与・作用して支持部５と共に、その強度が著しく向上する。このため、金属製屋根材１５，１６との嵌合部は、支持部５と係止片７及び金属製屋根材１５，１６の係合部１９，２２，被係合部２１とが密に当接し合うことにより絞り加工部６の強度が相乗的に作用し合って、これら嵌合部の強度は著しく向上し、容易にその嵌合部が外れることがない折板構造屋根３１を提供できる。
【００１８】
この点、本願発明者らの研究によれば、本発明のタイトフレームを板厚ｔ２．３×幅３２ｍｍに構成すると、単体での引張り強度は、５００ｋｇｆ／ｍｍ２  であることが確認され、上述する従来の嵌合式のボルトレス取付構造のものに比べ、約２倍の強度を有することが判明した。
【００１９】
また、本発明のタイトフレーム１は、上記するように、支持部５において嵌合する金属製屋根材１５，１６の係合部１９，２２、被係合部２１には屈曲部１７に連なる円弧部１８が形成してあるため、この嵌合部となる係合部１９，２２、被係合部２１と円弧部１８との間に隙間が生まれ、毛細管現象を防ぐことができる。特に、被係合部２１は、平面部２０または凹面部２５に構成したため、その隙間を十分確保でき、係合部１９と被係合部２１との嵌合部の毛細管現象を完璧に防ぐことができる。さらに、タイトフレーム１の支持部５は、円弧状に構成してあり、図８に示すように所望する勾配の折板構造屋根３１を構成できる。
【００２０】
【発明の効果】
本発明のタイトフレームは、上記構成であれば、支持部及び係止片の強度が著しく向上し、支持部や係止片の変形などを防ぐことができ、金属製屋根材の離脱を防ぐことができる。また、このタイトフレームは、ボルトレス化を図った構造であれば、上述するように、現場施工性及び価格性に優れた効果がある。
【００２１】
さらに、本発明のタイトフレームに用いる金属製屋根材は、その係合部が弯曲部と円弧部とで構成されているため、タイトフレームの係止片と密な嵌合状態を維持でき、風圧などに対し十分に耐える強度がある。
【００２２】
また、本発明に用いる折板構造屋根によれば、タイトフレームの支持部との間の嵌合部に隙間が生まれ、毛細管現象を防ぐことができ、その勾配もタイトフレームの円弧状の支持部によって所望する角度に構成できる。
【図面の簡単な説明】
【図１】本発明のタイトフレームの一実施形態を示す要部の斜視図。
【図２】同要部横断面図。
【図３】同要部縦断面図。
【図４】同３連構成のタイトフレームを示す断面図。
【図５】同タイトフレームに用いる折板構造屋根用の金属製屋根材を示す断面図。
【図６】同異なる３連構成のタイトフレームを示す断面図。
【図７】同タイトフレームの使用状態を示す断面図。
【図８】同タイトフレームを使用した折板構造屋根の勾配を示す側面図。
【符号の説明】
１          タイトフレーム
３，２４    傾斜部
４          起立部
５          支持部
６          絞り加工部
７          係止片
１５，１６  金属製屋根材
１７        屈曲部
１８        円弧部
１９，２２  係合部
２０        平面部
２１，２６  被係合部
２５        凹面部
【図１】
0003574960.tif 000002
【図２】
0003574960.tif 000003
【図３】
0003574960.tif 000004
【図４】
0003574960.tif 000005
【図５】
0003574960.tif 000006
【図６】
0003574960.tif 000007
【図７】
0003574960.tif 000008
【図８】
0003574960.tif 000009